(57)【要約】【課題】  眼鏡、小形電子機器の収納ケースを布で形成し紐を介してショルダー又はネックにして携行、収納ケースを使用して携行することに違和感を生じない、電子機器と眼鏡の保護に使用の利便性を確保する。【解決手段】  布製収納ケース１を各々の電子機器、眼鏡に適合した大きさと電子機器の重量を勘案した布地で袋状に仕上げ、袋の縫着縁辺に切片２を突出して縫着し当該切片２面にハトメ３を備え、掛止部５と繋止部７が具有する継合具６の当該繋止部７に紐８を環４内径に遊挿して接合具を介して無端に備え、糸９が弾性中空管１０内径を遊挿して環４に接合具を介して無端に備え、糸９を電子機器、眼鏡に繋げストラップとして活用することで電子機器の落下と置き忘れが解消し、紐８を肩又は首に掛けることにより身体との繋がりが保たれ、布製収納ケースが単純な筒状の袋になっているため収納ケースからの出し入れが簡単にでき、電子機器の頻繁な利用にも利便性を発揮する。【選択図】図１
0003121648.tif 000002
【実用新案登録請求の範囲】
【請求項１】
方形状布地対辺縁辺を重ねて折り畳み、当該折り畳まれた対辺長辺縁辺が切片を挟入、当該切片面にハトメを備え当該切片に備えたハトメ部位を前記の方形状布地対辺長辺縁辺を重ねて折り畳んだ縁辺の袋内に収装し、当該重ねて折り畳んだ方形状布地対辺長辺縁辺を縫着、対辺短辺縁辺１辺を縫着して対辺短辺１辺が開口した袋に形成、当該袋が縫着形成後当該袋の表面と中面を反転し、前記のハトメ部位が当該袋縁辺より突出した布製収納ケース。
【請求項２】
反発力具有の開閉口を備えた掛止部と当該掛止部が連結する繋止部が具有している継合具と、当該継合具の掛止部が前記請求項１の切片面に備えたハトメに着脱自在に掛止し、弾性中空管内径に遊挿した糸が反発力具有の開閉口を備えた環に接合具を介して無端に取り付け、当該環内径に紐が遊挿、当該紐が前記の継合具の繋止部に接合具を介して無端に備え、前記の環が前記の紐から着脱可能にした前記請求項１の布製収納ケースの吊り下げ紐。
【考案の詳細な説明】
【技術分野】
【０００１】  本考案は、眼鏡、携帯電話、デシタルカメラ等の貴重な小物、電子機器を被覆保護してネック又はショルダー携行する布製収納ケースに関する。
【背景技術】
【０００２】  現在は、携帯電話、デジタルカメラ等をむき出しのままネック又はショルダー携行したり、衣服のポケットに入れたり鞄に収容している。
そして老眼鏡が必要な世代が増えてきているにもかかわらず、眼鏡の場合短時間の外出には携行しないことが多く見受けられる、ソフトケースに眼鏡を入れ衣服のポケットに収めるには眼鏡の破損の心配があり、ハードケースに眼鏡を入れ衣服のポケットに収めるにはハードケースそのものがかさ張り過ぎる収納ケースの作りになっている。
【考案の開示】
【考案が解決しようとする課題】
【０００３】  携帯電子機器を携行する機会の多い生活環境下において、それぞれの電子機器を収納する収納ケースがあるものの、電子機器の使用頻度が活発で収納ケースからの出し入れが、ネック又はショルダー携行には不向きで、収納ケースそのものの携行にも抵抗があり日常の利便性にそぐわない傾向があり収納ケースとしての利用価値が損なわれている、又、夏季での薄着では衣服等のポケットへの収納も限りがある、そして、身体に繋げずに携行している場合は目まぐるしい社会環境の中での電子機器の置き忘れが頻発している。そこで柔軟性に富、軽量で身体に抵抗感の少ない布地を収納ケースに用い活発な使用頻度に適した構造に製作することで、ネック又はショルダー携行による電子機器の利便性が増しネック又はショルダー携行することで出先への置き忘れとしての失敗が減り、さらに身体との繋がりが無いための高価な電子機器の落下による破損が回避される。現代社会に不可欠な携帯電子機器の小物を気軽に安心して携行できる布製収納ケースを提供しようとするものである。
そして、眼鏡の携行は個人差の伴う働きを眼鏡に要求されるので外出先での間に合わせで外出先備え付けの眼鏡では要件が処理できなかったり場合によっては身体に何らかの悪影響を及ぼすことがあり、今後外出時において自らの所有している眼鏡を携行することは大切な必要性に迫られることと考えられる、特に老眼鏡の場合小さな文字の読み書きのときは必需品として大きな役割を果たすことになり短時間の外出程携帯性に富み使い勝手の良い収納ケースが求められる。
【課題を解決するための手段】
【０００４】  眼鏡、電子機器を縦長に収納する布地を筒状の袋に形成し、袋の縁辺より突出して合成皮革か人工皮革の切片を袋に縫着して該合成皮革か人工皮革面にハトメを備え、掛止部と繋止部を具有した継合具の繋止部に紐を備え、掛止部をハトメに着脱自在に掛止し、弾性中空管内径に糸を遊挿して環に無端に取り付け該環内径を前記の繋止部に取り付けた紐を無端に遊挿して、該紐を身体に掛け眼鏡、電子機器を収納ケースに収めて携行することにより課題を解決している。
【考案の効果】
【０００５】  本考案は以上に記したように、収納ケース本体を布地で作っているので衣服との相性が良く自然で尚かつ軽量な為、収納ケースそのものの携行にも違和感が解消され、布製収納ケースが継合具に繋いだ紐を介して身体に掛けられ身体の周囲に携行しても、布製収納ケースが筒状のため出し入れが簡単即座に行え、頻繁な電子機器の利用に適し、かつ電子機器を布地で覆っているので異物との接触、或いは衝突等の衝撃も緩和され、カメラレンズ等の損傷等も免れ眼鏡や電子機器の保護にも役立つ。
【考案を実施するための最良の形態】
【０００６】  布製収納ケース本体の布地は、薄手のものにあっては二重に更に四重にして筒状に形成し、布地の風合いを保ちつつ収納ケースとしての保護目的を確保しておく必要がある、そして収納する眼鏡、電子機器の形状に適合して収納ケースからの出し入れに快適な大きさに布製収納ケースを製作することが肝要である、更に極薄手の布地にあっては二重四重に形成された極薄手の布地の間に極薄手の風合いを損なわない布地を入れた補強としての製作が考えられる。又厚手の布地では一重での形成が充分に行えるが布製収納ケースの筒状開口の端部を折り返すと極端に端部が厚くなり商品価値として成り立たなくなるので、この端部処理を布地の風合いを活かして製作する必要がある。更に環に備えた糸を眼鏡或いはモバイル機器のストラップとして活用し布製収納ケースからの不意に起こる落下で収納物を破損させない仕組みを取り入れることが肝要になる。
【実施例】
【０００７】  添付図面に従い実施例を説明する。９の糸が１０の弾性中空管内径を遊挿して無端で４の環に取り付け５の掛止部に着脱自在に掛止して、７の繋止部で８の紐を無端で備え、当該７繋止部と５掛止部が具有する６の継合具の５掛止部が、布を筒状の袋にした１布製収納ケースの縁辺に突出して縫着した切片２に備えたハトメ３に着脱可能に掛止する。
【図面の簡単な説明】
【０００８】
【図１】  布製収納ケースの正面図。
【符号の説明】
【０００９】  １  布製収納ケース
２  切片
３  ハトメ
４  環
５  掛止部
６  継合具
７  繋止部
８  紐
９  糸
１０  弾性中空管
【図１】
0003121648.tif 000003
【手続補正書】
【提出日】平成18年2月17日(2006.2.17)
【手続補正１】
【補正対象書類名】図面
【補正対象項目名】図１
【補正方法】変更
【補正の内容】
【図１】
0003121648.tif 000004